(57)【要約】      （修正有）【課題】簡便な構造で、デザイン上および構造上の設計自由度を確保しつつ、使用上の安全性を向上する飲料サーバーを提供すること。【解決手段】サーバー筐体２０と、サーバー筐体２０の筐体前面２１に設置される温水コック３０と、前面カバー部を有したカバー部材５０とを備え、カバー部材５０は、前面カバー部によって温水コック３０の少なくとも一部を前面側から覆う温水カバー位置ＨＰと、温水カバー位置ＨＰから水平方向にずれた退避位置ＣＰとの間を移動するように、サーバー筐体２０に水平移動可能に取り付けられている飲料サーバー１０。【選択図】図１
2016113173.tif 000002
【特許請求の範囲】
【請求項１】
飲料水を注出する飲料サーバーであって、
サーバー筐体と、前記サーバー筐体の筐体前面に設置される温水コックと、前面カバー部を有したカバー部材とを備え、
前記カバー部材は、前記前面カバー部によって前記温水コックの少なくとも一部を前面側から覆う温水カバー位置と、前記温水カバー位置から水平方向にずれた退避位置との間を移動するように、前記サーバー筐体に水平移動可能に取り付けられていることを特徴とする飲料サーバー。
【請求項２】
前記サーバー筐体の筐体前面に設置される冷水コックを更に備え、
前記退避位置は、前記前面カバー部によって前記冷水コックの少なくとも一部を前面側から覆う冷水カバー位置であることを特徴とする請求項１に記載の飲料サーバー。
【請求項３】
前記カバー部材を水平移動させる際に操作される操作部を更に備え、
前記操作部は、前記前面カバー部から離間した位置に配置されることを特徴とする請求項１または請求項２に記載の飲料サーバー。
【請求項４】
前記温水カバー位置および前記退避位置で、前記前面カバー部の水平移動をロックするロック機構を更に備え、
前記操作部は、前記ロック機構のロック解除を操作する際に操作される部位としても機能することを特徴とする請求項３に記載の飲料サーバー。
【請求項５】
前記カバー部材は、前記温水カバー位置において、前記温水コックの下面側の少なくとも一部を覆う下面カバー部を有することを特徴とする請求項１乃至請求項４のいずれかに記載の飲料サーバー。
【発明の詳細な説明】
【技術分野】
【０００１】
本発明は、飲料水を注出する飲料サーバーに関する。
【背景技術】
【０００２】
近年、ミネラルウォーター等の飲料水を注出する飲料サーバーは、水の安全性や健康志向への高まりを受けて、病院や一般家庭等、多くの場所で使用されるようになってきている。
【０００３】
この飲料サーバーを一般家庭や幼稚園等のように小さい子供が手を触れる場所に設置する場合、子供が不用意に温水レバーに触れて温水を注出することがないように、例えば特許文献１に示すように、温水側にロック機構を設けるのが一般的である。
【０００４】
この特許文献１に示す構成では、温水レバーを手前に引き出した後に、この温水レバーを下げる、という２段階の操作により温水を注出するようになっており、単に温水レバーを下げるだけでは、温水側開閉弁が開弁しないようになっている。このように、操作を多段階にして温水の注出操作を複雑にすることにより、子供による不用意な温水注出の防止を図っている。
【０００５】
ところが、上述したように、温水注出操作を多段階にした場合であっても、子供が悪戯等で温水レバーを触った時に、正しい温水注出操作を偶然に行ってしまうことがある等、子供による不用意な温水注出に起因した火傷事故が発生する可能性を排除することは難しい。
【０００６】
そこで、安全性の更なる向上を目的として、上下方向に移動可能なカバー部材を筐体前面に設け、このカバー部材によって温水コックや冷水コックを物理的に覆うことにより、子供による温水コック等の操作自体を防止する飲料サーバーが提案されている（例えば特許文献２を参照）。
【０００７】
この特許文献２に記載の飲料サーバー１１０では、図８に示すように、温水コック１３０や冷水コック１４０を使用する際には、カバー部材１５０を上方の退避位置に移動させ、温水コック１３０等の不使用時には、カバー部材１５０を下方のカバー位置に移動させ、カバー部材１５０によって温水コック１３０等の前面側を覆うようになっている。
【先行技術文献】
【特許文献】
【０００８】
【特許文献１】特開２０１０−２４７８３８号公報
【特許文献２】国際公開第２０１４／０１４１９０号公報
【発明の概要】
【発明が解決しようとする課題】
【０００９】
ところが、特許文献２に記載の飲料サーバー１１０では、カバー部材１５０が上下方向に移動可能に設けられていることから、カバー部材１５０を下方のカバー位置に移動させた状態で、温水コック１３０等の下面側を覆う下面カバー部を設けることができず、温水コック１３０等の下面側は外部に露出した状態になっている。そのため、身長が低い子供が飲料サーバー１１０を見上げた場合には、温水コック１３０等の下面側が子供の目線に丁度入ることもあり、その結果、カバー部材１５０の下側から手を侵入させることによる温水コック１３０等の操作を誘発してしまう恐れがある。
【００１０】
また、温水コック１３０等の下面が外部に露出することを防ぐために、カバー部材１５０を下方のカバー位置に移動させた状態で、温水コック１３０等を設置する筐体凹部１２２全体を上下方向にカバーする大きさで、カバー部材１５０の上下寸法を設計することも考えられるが、この場合、カバー部材１５０が上下に大きくなるため、飲料サーバー１１０のデザイン面の自由度が損なわれるという問題があり、また、カバー部材１５０周辺の設計自由度が狭まるという問題がある。
【００１１】
また、このような飲料サーバー１１０では、使用上の注意書き等をサーバー筐体１２０の筐体前面１２１に付することがあるが、特許文献２に記載の飲料サーバー１１０では、カバー部材１５０が上下方向に移動可能に設けられていることから、筐体前面１２１における温水コック１３０等の上方位置を、注意書き等を付す場所として利用できないという問題が生じる。
【００１２】
さらに、特許文献２に記載の飲料サーバー１１０では、上方の退避位置にセットされたカバー部材１５０が自重によって下方にズレ落ちることを防ぐ手立てを講じる必要があり、この点でもカバー部材１５０の可動構造が複雑になるという問題がある。
【００１３】
そこで、本発明は、これらの問題点を解決するものであり、簡便な構造で、デザイン上および構造上の設計自由度を確保しつつ、使用上の安全性を向上する飲料サーバーを提供することを目的とするものである。
【課題を解決するための手段】
【００１４】
本発明は、飲料水を注出する飲料サーバーであって、サーバー筐体と、前記サーバー筐体の筐体前面に設置される温水コックと、前面カバー部を有したカバー部材とを備え、前記カバー部材は、前記前面カバー部によって前記温水コックの少なくとも一部を前面側から覆う温水カバー位置と、前記温水カバー位置から水平方向にずれた退避位置との間を移動するように、前記サーバー筐体に水平移動可能に取り付けられていることにより、前記課題を解決するものである。
【発明の効果】
【００１５】
本請求項１に係る発明によれば、カバー部材が、前面カバー部によって温水コックの少なくとも一部を前面側から覆う温水カバー位置と、温水カバー位置から水平方向にずれた退避位置との間を移動するように、サーバー筐体に対して水平移動可能に取り付けられていることにより、前面カバー部によって温水コックの操作自体を物理的に阻止し、使用上の安全性を向上することができるばかりでなく、以下の効果を奏することができる。
すなわち、カバー部材を水平移動可能に設けることにより、カバー部材を温水カバー位置に移動させた状態で、温水コック等の下面側を覆う下面カバー部を設けることが可能であるため、カバー部材の上下寸法を大きく設計することなく、下面側からの温水コックの操作を阻止することができる。
また、下面側からの温水コックの操作を防止するにあたって、カバー部材の上下寸法を大きく設計する必要がないため、デザイン上および構造上の設計自由度が損なわれることを回避することができる。
また、カバー部材を水平移動可能に設けることにより、筐体前面における温水コックの上方位置および下方位置を、注意書き等を付す場所として利用することができ、また、従来の飲料サーバーのように、カバー部材が自重によって下方にズレ落ちることを防ぐ手立てを講じる必要がないため、装置構造を簡素化することができる。
【００１６】
本請求項２に係る発明によれば、退避位置が、前面カバー部によって冷水コックを前面側から覆う冷水カバー位置であることにより、結果として、カバー部材を温水カバー位置にセットする頻度が高まり、使用上の安全性を一層向上することができる。すなわち、一般に冷水コックは使用頻度が高いことから、冷水コックを常時使用することが可能な状態にするために、カバー部材を冷水カバー位置以外の場所にセットする傾向にあり、本請求項２に係る発明では、このような傾向を利用して、冷水カバー位置以外の位置である温水カバー位置にカバー部材にセットされる頻度を自然と高めることができる。
本請求項３に係る発明によれば、前面カバー部を水平移動させる際に操作される操作部を、前面カバー部から離間した位置に配置することにより、使用者が前面カバー部に直接触れることを抑制し、使用者の手指によって前面カバー部が汚染されることを防止することができる。
本請求項４に係る発明によれば、前面カバー部を水平移動させる際に操作される操作部を、前面カバー部の水平移動をロックするロック機構のロック解除を操作する際に操作される部位としても機能させることにより、共通の操作部を用いて前面カバー部のロック解除および水平移動を簡単かつ容易に行うことができ安全性を更に高めるとともに、前面カバー部を水平移動させる際に、使用者が前面カバー部に直接触れることを一層抑制することができる。
本請求項５に係る発明によれば、カバー部材が、温水カバー位置において温水コックの下面側を覆う下面カバー部を有することにより、身長の低い子供が、温水コックの下面側から温水コックを操作すること確実に防止し、温水コックの汚染をも防止することができる。
【図面の簡単な説明】
【００１７】
【図１】本発明の一実施形態に係る飲料サーバーを示す斜視図。
【図２】飲料サーバーを示す正面図。
【図３】カバー部材を温水カバー位置にセットした状態を示す拡大図。
【図４】ロック機構のロックを解除した状態を示す拡大図。
【図５】カバー部材を冷水カバー位置に移動した状態を示す拡大図。
【図６】本発明の一実施形態の主要構成要素を示す分解斜視図。
【図７】カバー部材およびロック機構を中心として示す断面図。
【図８】従来の飲料サーバーを示す斜視図。
【発明を実施するための形態】
【００１８】
以下に、本発明の一実施形態に係る飲料サーバー１０について、図面に基づいて説明する。
【００１９】
まず、飲料サーバー１０は、ミネラルウォーター等の飲料水を注出するものであり、図１や図２に示すように、サーバー筺体２０と、サーバー筺体２０の筺体前面２１に設置される温水コック３０および冷水コック４０と、サーバー筺体２０に水平方向にスライド可能に取り付けられるカバー部材５０と、所定位置でカバー部材５０の水平移動をロックするロック機構６０（図３参照）とを備えている。
【００２０】
以下に、飲料サーバー１０の各構成要素について、図面に基づいて詳細に説明する。
【００２１】
まず、サーバー筺体２０は、飲料サーバー１０の各構成部材を収容および支持するものである。なお、本実施形態では、サーバー筺体２０の高さは、１００ｃｍ程度で設計されている。
【００２２】
また、温水コック３０および冷水コック４０は、温水または冷水を注出するものであり、図１や図２に示すように、筺体前面２１に形成された筺体凹部２２内に、水平方向に並べて設置されている。なお、本実施形態では、図６に示すように、温水コック３０および冷水コック４０が、使用者がレバー３１、４１を押すことでノズル３２、４２から温水や冷水を注出する手動式のコックとして構成されているが、温水コック３０や冷水コック４０の具体的態様は、電気制御によって温水や冷水を注出するもの等、如何なるものでもよい。
【００２３】
また、カバー部材５０は、図３〜図７に示すように、断面コ字状の合成樹脂等から成る部材であり、基部５１と、基部５１の前端に一体に形成された前面カバー部５２と、前面カバー部５２の下端に一体に形成された下面カバー部５３とを有している。基部５１は、温水コック３０または冷水コック４０の上面側に配置され、前面カバー部５２は、温水コック３０または冷水コック４０の前面側に配置され、下面カバー部５３は、温水コック３０または冷水コック４０の下面側に配置される。
【００２４】
カバー部材５０は、図２に示すように、温水カバー位置ＨＰと、温水カバー位置ＨＰから水平方向にずれた冷水カバー位置ＣＰとの間を移動するように、水平方向にスライド可能な状態で、サーバー筺体２０に支持されている。具体的には、図６や図７に示すように、前後方向に並べて基部５１の上面に形成された突起部５１ａおよび回動用基部５１ｂが、筺体凹部２２の上板部２３に形成され水平方向にそれぞれ延びる第１スリット２３ａおよび第２スリット２３ｂ内に挿入され、上板部２３の上側において突起部５１ａおよび回動用基部５１ｂに取付具２４が取り付けられることにより、カバー部材５０がサーバー筺体２０によって支持されている。また、下面カバー部５３の後端に形成された係合部５３ａがサーバー筺体２０に係合しており、これにより、カバー部材５０の水平移動を安定させることができる。
【００２５】
ロック機構６０は、温水カバー位置ＨＰおよび冷水カバー位置ＣＰにおいて、カバー部材５０の水平移動を解除可能にロックするものであり、図３〜図７に示すように、回動用基部５１ｂに回動可能に取り付けられた回動部材６１と、回動部材６１の前端に取り付けられた操作部６２と、サーバー筺体２０に固定されたロック具６３と、回動部材６１を下方に向けて付勢する付勢バネ６４とを有している。
【００２６】
カバー部材５０を温水カバー位置ＨＰまたは冷水カバー位置ＣＰに配置した状態（図３，図５参照）では、回動部材６１（および操作部６２）を下げた際に、回動部材６１の前端側に形成されたロック係合部６１ａがロック具６３に係合して、カバー部材５０の水平移動がロックされ、また、回動部材６１（および操作部６２）を上げた際に、ロック係合部６１ａとロック具６３との係合が解除され（図４参照）、カバー部材５０を水平移動させることができる。
【００２７】
操作部６２は、図２に示すように、カバー部材５０の前面カバー部５２から離間した前面カバー部５２の上方において、筺体前面２１に形成されたスライド用スリット２１ａを通して筺体前面２１の外側に突出して配置されている。
【００２８】
次に、本実施形態の飲料サーバー１０の使用方法について、以下に説明する。
【００２９】
まず、温水注出時には、温水コック３０のバルブを開放する温水注出解放ボタン３３（図６参照）を押した状態で、温水レバー３１を奥側に押すことで、温水ノズル３２から温水が注出される。
この温水注出を行う際に、カバー部材５０が温水カバー位置ＨＰにセットされていた場合には、操作部６２を上方に押し上げてロック機構６０のロックを解除した後（図４参照）、操作部６２を水平移動させることで、カバー部材５０を冷水カバー位置ＣＰに移動させる。
このように、操作部６２は、ロック機構６０のロック解除時に操作される部位として機能するとともに、カバー部材５０を水平移動させる際に操作される部位としても機能する。
【００３０】
また、冷水注出時には、冷水コック４０のバルブを開放する冷水注出解放ボタン４３（図６参照）を押した状態で、冷水コック４０の冷水レバー４１を奥側に押すことで、冷水ノズル４２から冷水が注出される。
この冷水注出を行う際に、冷水注出時にカバー部材５０が冷水カバー位置ＣＰにセットされていた場合には、上述したように、操作部６２を操作することで、カバー部材５０を温水カバー位置ＨＰに移動させる。
【００３１】
以上、本発明の実施形態を詳述したが、本発明は上記実施形態に限定されるものではなく、特許請求の範囲に記載された本発明を逸脱することなく種々の設計変更を行なうことが可能である。
【００３２】
例えば、上述した実施形態では、温水カバー位置からカバー部材を退避させる退避位置が、冷水カバー位置であるものとして説明したが、カバー部材を冷水コック位置以外の位置に退避させてもよく、その場合、退避位置は、サーバー筺体の筺体前面上の位置である必要はない。
また、上述した実施形態では、ロック機構が温水カバー位置および冷水カバー位置において、カバー部材の水平移動をロックするものとして説明したが、ロック機構の具体的態様はこれに限定されず、例えば、温水カバー位置でのみカバー部材の水平移動をロックするように構成してもよく、また、温水カバー位置および冷水カバー位置に加えて、温水カバー位置や冷水カバー位置以外の退避位置でも、カバー部材の水平移動をロックするように構成してもよい。また、ロック機構自体を設けなくても何ら構わない。
更には、バネ等の付勢部材等を設置することで、温水カバー位置以外の位置にカバー部材が位置している場合に、カバー部材が温水カバー位置に自動的に戻るように構成しても何ら構わない。
また、上述した実施形態では、カバー部材が水平方向に直線状に移動可能に設けられているものとして説明したが、カバー部材は、水平移動（水平面内で移動）することが可能であるように設ければよく、例えば、カバー部材を水平面内（筺体前面内等）で旋回可能に設けてもよい。
また、上述した実施形態では、カバー部材が温水コックの前面側をカバーする前面カバー部および温水コックの下面側をカバーする下面カバー部を有するものとして説明したが、下面カバー部については設けなくとも何ら構わない。
また、上述した実施形態では、前面カバー部が温水コックの前面側全体をカバーするように構成したが、前面カバー部は温水コックの前面側の少なくとも一部をカバーするように構成されていればよく、例えば、前面カバー部によって、温水ノズルや温水レバーや温水注出解放ボタン等を部分的にカバーするように構成してもよい。また、同様に、下面カバー部についても、温水コックの下面側の少なくとも一部をカバーするように構成されていればよい。
また、カバー部材に、温水コックの側面側の少なくとも一部をカバーする側面カバー部を設けてもよく、この場合、カバー部材の基部や前面カバー部に側面カバー部を回動可能に取り付ければよい。
【符号の説明】
【００３３】
１０    ・・・  飲料サーバー
２０    ・・・  サーバー筐体
２１    ・・・  筐体前面
２１ａ  ・・・  スライド用スリット
２２    ・・・  筐体凹部
２３    ・・・  上板部
２３ａ  ・・・  第１スリット
２３ｂ  ・・・  第２スリット
２４    ・・・  取付具
３０    ・・・  温水コック
３１    ・・・  温水レバー
３２    ・・・  温水ノズル
３３    ・・・  温水注出解放ボタン
４０    ・・・  冷水コック
４１    ・・・  冷水レバー
４２    ・・・  冷水ノズル
４３    ・・・  冷水注出解放ボタン
５０    ・・・  カバー部材
５１    ・・・  基部
５１ａ  ・・・  突起部
５１ｂ  ・・・  回動用基部
５２    ・・・  前面カバー部
５３    ・・・  下面カバー部
５３ａ  ・・・  係合部
６０    ・・・  ロック機構
６１    ・・・  回動部材
６１ａ  ・・・  ロック係合部
６２    ・・・  操作部
６３    ・・・  ロック具
６４    ・・・  付勢バネ
ＨＰ    ・・・  温水カバー位置
ＣＰ    ・・・  冷水カバー位置（退避位置）
【図１】
2016113173.tif 000003
【図２】
2016113173.tif 000004
【図３】
2016113173.tif 000005
【図４】
2016113173.tif 000006
【図５】
2016113173.tif 000007
【図６】
2016113173.tif 000008
【図７】
2016113173.tif 000009
【図８】
2016113173.tif 000010